(57)【要約】【課題】写真プリント費用を広告主が少なくても一部負担することができるとともに、付加する情報を画像に挿入せずに画像の上記画像の外に情報を配置する広告等の情報付加装置【解決手段】  撮影された画像に広告等の情報を付加する情報付加装置で、前記画像がカメラの保持状態が縦位置で撮影されたか又は横位置で撮影されたかに相当する姿勢情報を検知するする検知手段と、前記姿勢情報に基づいて前記画像と前記情報とを配列するレイアウトを決定する制御手段を備えた情報付加装置。【選択図】  図１
2008167342.tif 000002
【特許請求の範囲】
【請求項１】
撮影された画像に広告等の情報を付加する情報付加装置で、前記画像がカメラの保持状態が縦位置で撮影されたかまたは横位置で撮影されたかに相当する姿勢情報を前記カメラから取得する取得手段と、前記姿勢情報に基づいて前記画像と前記広告等情報とを配列するレイアウトを決定する制御手段を備えた情報付加装置。
【請求項２】
前記広告等情報の各文字の上下及び左右方向を示す識別信号を前記広告等情報に付与し前記姿勢信号と前記識別信号とを関連付け、前記画像の縦及び横位置方向と前記文字の上下及び左右方向を一致させるように前記広告等情報を配列する請求項１に記載の情報付加装置。
【請求項３】
前記姿勢情報に応じて、前記画像を９０度乃至は１８０度乃至は２７０度回転させることを許容するよう制御することを特徴とする請求項１に記載の情報付加装置。
【請求項４】
撮影された画像に広告等の情報を付加する情報付加方法で、前記画像がカメラの保持状態が縦位置で撮影されたかまたは横位置で撮影されたかに相当する情報をカメラから取得するステップと、前記検知された情報に基づいて前記画像と前記広告等情報とを配列するレイアウトを決定するステップとを備えた情報付加方法。
【請求項５】
前記広告等情報の各文字の上下方向を示す識別信号を前記情報に付与するステップと、前記姿勢信号と前記識別信号とを関連付けるステップとを備え、前記画像の上下方向と前記文字の上下方向を一致させるように前記広告等情報を配列する請求項４に記載の情報付加方法。
【請求項６】
前記姿勢情報に応じて、前記画像を９０度乃至は１８０度乃至は２７０度回転させることを許容するよう制御するステップとを備えた請求項４に記載の情報付加方法。
【発明の詳細な説明】
【技術分野】
【０００１】
本発明は、写真を含む画像に広告等の情報を付加する装置及び撮影者乃至は写真を観察する観察者と広告主の双方に利する広告付加方法、広告付き画像に関し、特に広告主からの広告を大量に出回る写真を含む画像に付加し、更に、写真のプリント及び画像の処理に関する費用を広告主が少なくとも一部を負担するようにした広告付加装置、広告付加方法に関する。
【背景技術】
【０００２】
従来、画面内に広告を埋め込む場合には画面外部の側脇に広告を配置する場合よりプリント料を安くすることが開示されている（特許文献１）。
【０００３】
【特許文献１】特許登録３６３２８３３号
【発明の開示】
【発明が解決しようとする課題】
【０００４】
上述の特許文献１では、画面内に広告を埋め込む場合には画面外部の側脇に広告を配置する場合よりプリント料を安くすることが開示されている。すなわち、写真と切り離しができない広告に対して広告主がプリント代を負担することを開示しているが、どのような広告のときには画面内にどのような広告を画面内に埋め込むか画面外部の側脇に配置するのかは開示されていない。
【０００５】
本発明は、このような従来の構成が有していた問題を解決しようとするものであり、画像と共に広告がインパクトのある企業名・団体名又は商標名又は商品名または愛称などをデザイン文字を用いて図案化した撮影者によって撮影された写真を含む画像に広告が付加される広告付き画像で、前記広告が企業名・団体名又は商標名又は商品名又は愛称などをデザイン文字を用いて図案化したロゴマーク又はＣＩマークである画像データあるいはメッセージ等の文字データとからなり、前記広告が前記画像データである場合は、画像の中に前記広告等の情報が挿入され、前記広告等の情報が前記メッセージ等の文字データを含む場合は、前記広告を前記画像の外に置くようにした発明は本出願人より出願されている。撮影される画像には縦位置撮影で撮影された画像、横位置で撮影された画像がある。画像の縦横位置によっては、広告と画像の上下左右方向の配置関係を崩す場合もありプリント利用者の望ましくない場合もある。
【課題を解決するための手段】
【０００６】
本発明は、請求項１は撮影された画像に広告等の情報を付加する情報付加装置で、前記画像がカメラの保持状態が縦位置で撮影されたかまたは横位置で撮影されたかに相当する姿勢情報を前記カメラから取得する取得手段と、前記姿勢情報に基づいて前記画像と前記広告等情報とを配列するレイアウトを決定する制御手段を備えた情報付加装置を提供するものである。
【０００７】
さらに、請求項２は請求項１に従属し、前記広告等情報の各文字の上下及び左右方向を示す識別信号を前記広告等情報に付与し前記姿勢信号と前記識別信号とを関連付け、前記画像の縦及び横位置方向と前記文字の上下及び左右方向を一致させるように前記広告等情報を配列する請求項１に記載の情報付加装置を提供するものである。
【０００８】
さらに、請求項３は請求項１に従属し、前記姿勢情報に応じて、前記画像を９０度乃至は１８０度乃至は２７０度回転させることを許容するよう制御することを特徴とする請求項１に記載の情報付加装置を提供するものである。
【０００９】
また、請求項４は、撮影された画像に広告等の情報を付加する情報付加方法で、前記画像がカメラの保持状態が縦位置で撮影されたかまたは横位置で撮影されたかに相当する情報をカメラから取得するステップと、前記検知された情報に基づいて前記画像と前記広告等情報とを配列するレイアウトを決定するステップとを備えた情報付加方法を提供するものである。
【００１０】
さらに、請求項５は、請求項４に従属し、前記広告等情報の各文字の上下方向を示す識別信号を前記情報に付与するステップと、前記姿勢信号と前記識別信号とを関連付けるステップとを備え、前記画像の上下方向と前記文字の上下方向を一致させるように前記広告等情報を配列する請求項４に記載の情報付加方法を提供するものである。
【００１１】
さらに、請求項６は、請求項４に従属し、前記姿勢情報に応じて、前記画像を９０度乃至は１８０度乃至は２７０度回転させることを許容するよう制御するステップとを備えた請求項４に記載の情報付加方法を提供するものである。
【発明の効果】
【００１２】
本発明は写真に広告等の情報を付加してプリントする場合に写真の撮影状態、すなわち撮影者のカメラを保持する横位置撮影か縦位置撮影かに応じて写真と付加する情報とのレイアウトを決定するので広告と画像の上下左右方向の配置関係を崩さずプリントができる。
【発明を実施するための最良の形態】
【００１３】
以下、本発明の形態を図１、図２に基づいて説明する。
【００１４】
図１は、本発明の広告等の情報付加装置の概略構成を示す。１は画像サーバー、２は広告等情報サーバー、３は制御装置を示し、４は横位置撮影か縦位置撮影かを示す撮影姿勢取得装置を示し、５は文字の上下方向を示す文字上下方向信号出力装置を示し、６は広告等の情報と画像を合成する合成システムを示し、７は合成システム４で合成された画像と広告とをプリントするプリントシステムを示す。カメラにおける撮影姿勢状態が横位置撮影か縦位置撮影かを取得する装置は後述する図３で示す。
【００１５】
図２は制御装置３の内容を示すフローチャートである。Ｓ１で示すように画像サーバー１に貯えられた画像が、撮影姿勢情報取得装置４から画像の姿勢情報は縦位置撮影か横位置撮影かをカメラから取得し、縦位置であった場合は、縦１と縦２に判別され、縦１とは、縦方向の天地の天方向が上の画像であり、縦２とは、縦方向の天地の天方向が下の画像である。横位置であった場合は、横１と横２に判別され、横１とは、横方向の天地の天方向が上の画像であり、横２とは、横方向の天地の天方向が下の画像である。Ｓ２で画像の姿勢情報は縦１か縦２かを判別し、縦１の場合は、広告サーバー２に貯えられた広告等の情報がＳ３で示すようにロゴマーク乃至はＣＩマークのみであるかを判別し、Ｓ４で示すようにロゴマーク乃至はＣＩマークのみであると判別すると広告等情報を画面内に配置する、そうでない場合には、Ｓ５で示すように、広告等情報の文字方向が上下方向か左右方向かを取得し、前記広告等の情報が上下方向であればＳ６、左右方向であればＳ７で示すように写真の上下左右方向と情報の文字の上下左右方向を合致させるよう制御する。
【００１６】
Ｓ２で画像の姿勢情報が縦２であった場合は、Ｓ８で示すようにロゴマーク乃至はＣＩマークのみであるかを判別し、Ｓ９で示すようにロゴマーク乃至はＣＩマークのみであると判別すると縦位置撮影の上下方向とロゴマーク乃至はＣＩマークの広告等情報の方向を合致させ画面内に配置する、ロゴマーク乃至はＣＩマークでない場合には、Ｓ１０で示すように、広告等情報の文字方向が上下方向か左右方向かを取得し、前記広告等の情報が上下方向であればＳ１１、左右方向であればＳ１２で示すように写真の上下左右方向と情報の文字の上下左右方向を合致させるよう制御する。
【００１７】
Ｓ１で画像の姿勢情報が横であった場合は、Ｓ１３で画像の姿勢情報は横１か横２かを判別し、横１の場合は、広告サーバー２に貯えられた広告等の情報がＳ１４で示すようにロゴマーク乃至はＣＩマークのみであるかを判別し、Ｓ１５で示すようにロゴマーク乃至はＣＩマークのみであると判別すると広告等情報を画面内に配置する、そうでない場合には、Ｓ１６で示すように、広告等情報の文字方向が上下方向か左右方向かを取得し、前記広告等の情報が上下方向であればＳ１７、左右方向であればＳ１８で示すように写真の上下左右方向と情報の文字の上下左右を合致させるよう制御する。
【００１８】
Ｓ１３で画像の姿勢情報が横２であった場合は、Ｓ１９で示すようにロゴマーク乃至はＣＩマークのみであるかを判別し、Ｓ２０で示すようにロゴマーク乃至はＣＩマークのみであると判別すると横位置撮影の上下方向とロゴマーク乃至はＣＩマークの広告等情報の方向を合致させ画面内に配置する、ロゴマーク乃至はＣＩマークでない場合には、Ｓ２１で示すように、広告等情報の文字方向が上下方向か左右方向かを取得し、前記広告等の情報が上下方向であればＳ２２、左右方向であればＳ２３で示すように写真の上下左右方向と情報の文字の上下左右方向を合致させるよう制御する。
【００１９】
なお、制御装置３は、画像の姿勢情報を検地し、前記画像を９０度乃至は１８０度乃至は２７０度回転させる回転制御手段を用い前記画像と前記広告等の情報を制御してもよい。
【００２０】
第３図はカメラの撮影姿勢取得装置４を示し、水銀スイッチ２０を備え、同スイッチ２０により縦位置撮影もしくは横位置撮影の状態を取得する。第３図において、Ｖ次状のガラス容器２１内には水銀２２が封入されており、かつ、一対のリード線２３の先端部２３ａが互いに対向して設けられている。撮影姿勢
に応じてガラス容器２１が傾斜すると、水銀２２がガラス容器２１内で流動し、先端部２３ａを短絡もしくは開放状態にする。すなわち、例えば、横位置撮影では先端部２３ａが短絡され、水銀スイッチ取得部１２チ２０はオンし、縦位置撮影では先端部２３ａが開放され、水銀スイッチ２０はオフする。そして、撮影姿勢装置４は上記水銀スイッチ２０のオン、オフに応じた信号を制御装置３に出力する。なお、水銀ではなく鋼球を使用しても良い。このカメラ縦位置、横位置情報が本発明の広告等の情報付加装置に入力され取得する。
【００２１】
以上に説明したように写真の縦横方向と文字の上下左右方向を合わせたので写真も文字も同じ視線で観察できるので写真、文字を見るときに写真を回転させることなく見ることが出来る。
【図面の簡単な説明】
【００２２】
【図１】本発明に係るブロック図を示す。
【図２】本発明に係るフローチャートを示す。
【図３】本発明に係るカメラの撮影姿勢取得装置を示す
【符号の説明】
【００２３】
１ …画像サーバー
２ …広告サーバー
３ …制御装置
４・・・撮影姿勢取得装置
５・・・文字上下方向信号出力装置
６ …合成システム
７ …プリントシステム
【図１】
2008167342.tif 000003
【図２】
2008167342.tif 000004
【図３】
2008167342.tif 000005